(57)【要約】【課題】情報が分散されて蓄積されており、定型の項目を有する情報を扱うことが可能な状況において、ユーザが、分かりやすい定型の項目に対して情報を入力が出来る情報公開システムを提供する。【解決手段】メタデータ定義蓄積装置２に、定型の項目を含むメタデータ定義表９、およびメタデータ定義表の定型の項目への入力を補助するコンテンツ作成補助ファイル１０を記憶させておき、メタデータ付与装置３は、メタデータ定義表９およびコンテンツ作成補助ファイル１０を基に入力フォームを生成し、生成した入力フォームを情報発信端末６に送信し、入力フォームに基づいて情報発信端末６により入力されたデータに基づいて、定型の項目を含むコンテンツであるメタデータ付与コンテンツを生成する。【選択図】図１
2008134952.tif 000002
【特許請求の範囲】
【請求項１】
ネットワークに接続され、定型の項目を含むメタデータ定義表、および前記メタデータ定義表に対応した前記メタデータ定義表の定型の項目への入力を補助するコンテンツ作成補助ファイルを記憶する記憶手段
を有するメタデータ定義蓄積装置と、
前記メタデータ定義表および前記コンテンツ作成補助ファイルに基づいて、入力フォームを生成し、生成した入力フォームを情報発信端末に送信する第１のユーザーインターフェース生成手段と、
前記入力フォームに基づいて前記情報発信端末により入力されたデータを受け付ける第１の入力受付手段と、
前記受け付けたデータに基づいて、前記定型の項目を含むコンテンツであるメタデータ付与コンテンツを生成するメタデータ付与コンテンツ生成手段と、
を有するメタデータ付与装置と、
から構成されることを特徴とする情報公開システム。
【請求項２】
前記メタデータ付与装置の前記メタデータ付与コンテンツ生成手段は、
前記情報発信端末により入力されたデータ、前記メタデータ定義表および前記コンテンツ作成補助ファイルに基づいて、前記メタデータ付与コンテンツを生成すること
を特徴とする請求項１記載の情報公開システム。
【請求項３】
前記定型の項目に入力する候補が記憶されているデータ蓄積装置を有し、
前記メタデータ付与装置は、
前記情報発信端末から入力された検索キーに該当する候補を前記データ蓄積装置から検索する第１の検索手段と、
前記第１のユーザーインターフェース生成手段が、前記第１の検索手段が検索した候補を、前記生成した入力フォームの入力欄に挿入する、
ことを特徴とする請求項１または請求項２に記載の情報公開システム。
【請求項４】
前記メタデータ付与コンテンツを前記メタデータ付与装置のメタデータ付与コンテンツ生成手段から受け付ける第２の入力受付手段と、
前記受け付けたメタデータ付与コンテンツ含む公開情報を生成する公開情報生成手段と、
前記生成した公開情報をネットワーク上に公開する情報公開手段と、
を有する情報公開装置を
さらに備えることを特徴とする請求項１から３のいずれかに記載の情報公開システム。
【請求項５】
前記公開情報を前記情報公開装置の情報公開手段から取得する公開情報取得手段と、
前記取得した公開情報に対応する前記メタデータ定義表を前記メタデータ定義蓄積装置の記憶手段から取得するメタデータ定義取得手段と、
前記公開情報を記憶する公開情報蓄積手段と、
を有する情報閲覧装置を備え、
前記公開情報取得手段が、
前記メタデータ定義取得手段が取得したメタデータ定義表に基づいて、前記取得した公開情報を検索可能な公開情報として前記公開情報蓄積手段に記憶する、
ことを特徴とする請求項１から４のいずれかに記載の情報公開システム。
【請求項６】
前記メタデータ定義蓄積装置の記憶手段には、
前記メタデータ定義表に対応した前記メタデータ定義表の定型の項目への検索を補助するコンテンツ抽出補助ファイルが記憶されており、
前記情報閲覧装置には、
前記情報閲覧装置内に設けられる受付手段であって、
情報閲覧端末から前記メタデータ定義表を選択する条件の入力を受け付ける第３の入力受付手段と、
前記受け付けた選択する条件に一致する前記メタデータ定義表を前記メタデータ定義蓄積装置の記憶手段から取得し、前記取得したメタデータ定義表に対応するコンテンツ抽出補助ファイルをメタデータ定義蓄積装置の記憶手段から取得するメタデータ定義取得手段と、
前記取得したメタデータ定義表および前記コンテンツ抽出補助ファイルに基づいて抽出用入力フォームを生成し、該入力フォームを情報閲覧端末に表示させる第２のユーザーインターフェース生成手段と、
前記抽出用入力フォームに基づいて前記情報閲覧端末により入力された抽出条件を受け付け、前記受け付けた抽出条件に該当する前記検索可能な公開情報を前記公開情報蓄積手段から取得するコンテンツ抽出手段と、
を備えると共に、
前記コンテンツ抽出手段により取得した検索可能な公開情報を前記情報閲覧端末に出力する受付手段を、
備えることを特徴とする請求項５に記載の情報公開システム。
【請求項７】
前記受付手段は、
前記情報閲覧端末から入力された抽出条件に該当する候補を前記データ蓄積装置から検索する第２の検索手段と、
前記第２のユーザーインターフェース生成手段が、前記第２の検索手段が検索した候補を、前記生成した抽出用入力フォームの入力欄に挿入する、
ことを特徴とする請求項６に記載の情報公開システム。
【請求項８】
前記公開情報が、前記メタデータ定義表で定義される定型項目のデータを含むブログの記事情報であること
を特徴とする請求項５から７のいずれかに記載の情報公開システム。
【請求項９】
情報発信端末から受け付けたデータを基にメタデータ付与したコンテンツを生成してネットワーク上に公開する情報公開システムにおける情報公開方法であって、
前記ネットワークに接続されるメタデータ定義蓄積装置により、
定型の項目を含むメタデータ定義表、および前記メタデータ定義表に対応した前記メタデータ定義表の定型の項目への入力を補助するコンテンツ作成補助ファイルを記憶する手順が行われ、
前記ネットワークに接続されるメタデータ付与装置により、
前記メタデータ定義表および前記コンテンツ作成補助ファイルに基づいて、入力フォームを生成し、生成した入力フォームを前記情報発信端末に送信するユーザーインターフェース生成手順と、
前記入力フォームに基づいて前記情報発信端末により入力されたデータを受け付ける入力受付手順と、
前記受け付けたデータに基づいて、前記定型の項目を含むコンテンツであるメタデータ付与コンテンツを生成するメタデータ付与コンテンツ生成手順と、
が行われることを特徴とする情報公開方法。
【発明の詳細な説明】
【技術分野】
【０００１】
本発明は、情報を公開する装置が複数存在するネットワーク上での情報公開に関するものであり、特に定型の項目を有する情報の情報公開装置システム、および情報公開方法に関するものである。
【背景技術】
【０００２】
従来より、ネットワーク上で情報が分散されて蓄積されている状況においても定型の項目を有する情報を扱うことが可能な情報公開システムが実現されている。（例えば特許文献１参照。）このようなシステムでは、特許文献１に開示された方法を用いて、分散された情報公開装置において、同一の定型の項目を情報に付与することを実現している。また、分散して存在する定型の項目を有する情報を、情報閲覧装置においての閲覧および、検索などの抽出閲覧を実現している。
【特許文献１】特開２００６−６５４５１号公報
【発明の開示】
【発明が解決しようとする課題】
【０００３】
上述したシステムにおいては、項目表によって定型の項目を定義していたが、項目表には、データ名としてｎａｍｅなどが記述されていた。そのため、従来技術である項目表による定型の項目の入力では、ユーザは項目表により定型の項目を入力しているため、ユーザは分かりにくい項目「データ名（たとえば「ｎａｍｅ」）」に対して入力しなくてはならないという問題があった。また、項目表による定型の項目の入力では、入力したデータが、定型の項目と合致していないという問題があった。
【０００４】
また、上述したシステムにおいては、項目表によって定型の項目を定義するため、選択肢を用いた項目を設定する場合には、選択肢を項目表に列挙する必要があるため、選択肢の数が膨大になると、項目表も膨大な大きさになってしまい管理が困難であった。
【０００５】
また、選択肢の変更に伴って項目表を変更する必要があるため、選択肢によっては項目表の管理が煩雑であった。
【０００６】
また、定型の項目に合わせて出力方法を定義することが想定されていないため、公開情報として表示する部分や表示形式を設定できなかった。
【０００７】
また、定型の項目に合わせて抽出方法を定義することが想定されていないため、公開情報を抽出する条件を定型の項目に合わせることができないという問題があった。
【０００８】
そこで、本発明は上述したような課題を解決するためになされたものであり、本発明の目的は、情報が分散されて蓄積されており、定型の項目を有する情報を扱うことが可能な状況において、項目表によって定型の項目を入力することなく、ユーザが分かりやすい項目に対してデータを入力できるようにすると共に、膨大な選択肢や頻繁に変更される選択肢に対応し、定型の項目に合わせた出力方法の設定や抽出方法の設定を可能にする情報公開システム、および情報公開方法を提供することにある。
【課題を解決するための手段】
【０００９】
本発明は上記課題を解決するためになされたものであり、本発明の情報公開システムは、ネットワークに接続され、定型の項目を含むメタデータ定義表、および前記メタデータ定義表に対応した前記メタデータ定義表の定型の項目への入力を補助するコンテンツ作成補助ファイルを記憶する記憶手段を有するメタデータ定義蓄積装置と、前記メタデータ定義表および前記コンテンツ作成補助ファイルに基づいて、入力フォームを生成し、生成した入力フォームを情報発信端末に送信する第１のユーザーインターフェース生成手段と、前記入力フォームに基づいて前記情報発信端末により入力されたデータを受け付ける第１の入力受付手段と、前記受け付けたデータに基づいて、前記定型の項目を含むコンテンツであるメタデータ付与コンテンツを生成するメタデータ付与コンテンツ生成手段と、を有するメタデータ付与装置と、から構成されることを特徴とする。
このような構成により、メタデータ定義蓄積装置に、定型の項目を含むメタデータ定義表、およびメタデータ定義表の定型の項目への入力を補助するコンテンツ作成補助ファイルを記憶させておき、メタデータ付与装置は、メタデータ定義表およびコンテンツ作成補助ファイルを基に入力フォームを生成し、生成した入力フォームを情報発信端末に送信し、入力フォームに基づいて情報発信端末により入力されたデータに基づいて、定型の項目を含むコンテンツであるメタデータ付与コンテンツを生成する。
これにより、ユーザは、分かりやすい定型の項目に対して入力が出来るようになる。また、分散された情報公開装置において、同一の話題についての定型の項目のフォーマットが統一される。また、コンテンツ作成補助ファイルに記述されるスクリプトにより、膨大な選択肢や頻繁に変更される選択肢に対応し、定型の項目に合わせたコンテンツの出力方法の設定や抽出方法の設定が可能になる。
【００１０】
また、本発明の情報公開システムは、前記メタデータ付与装置の前記メタデータ付与コンテンツ生成手段は、前記情報発信端末により入力されたデータ、前記メタデータ定義表および前記コンテンツ作成補助ファイルに基づいて、前記メタデータ付与コンテンツを生成することを特徴とする。
このような構成により、メタデータ付与コンテンツ生成手段では、情報発信端末により入力されたデータ、メタデータ定義表およびコンテンツ作成補助ファイルに基づいて、メタデータ付与コンテンツを生成する。
これにより、ネットワーク上に分散された複数の情報公開装置により公開情報を公開する場合に、同一の話題についての定型の項目のフォーマットを統一できる。また、コンテンツ作成補助ファイルに記述されるスクリプトにより、膨大な選択肢や頻繁に変更される選択肢に対応し、定型の項目に合わせたコンテンツの出力方法の設定や抽出方法の設定が可能になる。
【００１１】
また、本発明の情報公開システムは、前記定型の項目に入力する候補が記憶されているデータ蓄積装置を有し、前記メタデータ付与装置は、前記情報発信端末から入力された検索キーに該当する候補を前記データ蓄積装置から検索する第１の検索手段と、前記第１のユーザーインターフェース生成手段が、前記第１の検索手段が検索した候補を、前記生成した入力フォームの入力欄に挿入する、ことを特徴とする。
このような構成により、メタデータ付与装置は、情報発信端末から入力された検索キーに該当する候補をデータ蓄積装置から検索し、検索した候補を入力フォームの入力欄に挿入する。
これにより、項目として膨大な選択肢や頻繁な選択肢がある場合は、選択肢となるデータを蓄積しているデータ蓄積装置を利用可能することができる。また、データ蓄積装置が新たに追加されるなどの変更が生じてもメタデータ定義表で定義される項目の定義自体は変更することなく、コンテンツ作成補助ファイルの変更による対応が可能である。
【００１２】
また、本発明の情報公開システムは、前記メタデータ付与コンテンツを前記メタデータ付与装置のメタデータ付与コンテンツ生成手段から受け付ける第２の入力受付手段と、前記受け付けたメタデータ付与コンテンツ含む公開情報を生成する公開情報生成手段と、前記生成した公開情報をネットワーク上に公開する情報公開手段と、を有する情報公開装置をさらに備えることを特徴とする。
このような構成により、情報公開装置は、メタデータ付与装置からメタデータ付与コンテンツを受け付け、受け付けたメタデータ付与コンテンツを含む公開情報を生成して、ネットワーク上に公開する。
これにより、ネットワーク上で情報公開装置を分散する際に、同一の話題についての定型の項目のフォーマットが統一される。また、メタデータ付与装置と情報公開装置とが分離しているので、情報発信端末のユーザは、メタデータ付与装置によりメタデータ定義表による情報を生成し、生成した情報を、情報公開装置に公開情報として公開することが可能となる。
【００１３】
また、本発明の情報公開システムは、前記公開情報を前記情報公開装置の情報公開手段から取得する公開情報取得手段と、前記取得した公開情報に対応する前記メタデータ定義表を前記メタデータ定義蓄積装置の記憶手段から取得するメタデータ定義取得手段と、前記公開情報を記憶する公開情報蓄積手段と、を有する情報閲覧装置を備え、前記公開情報取得手段が、前記メタデータ定義取得手段が取得したメタデータ定義表に基づいて、前記取得した公開情報を検索可能な公開情報として前記公開情報蓄積手段に記憶する、ことを特徴とする。
このような構成により、情報閲覧装置は、情報公開装置から取得した公開情報を公開情報蓄積手段に記憶する。この際に、メタデータ定義蓄積装置から取得したメタデータ定義表に基づいて、取得した公開情報を検索可能な公開情報として公開情報蓄積手段に記憶する。例えば、取得した公開情報に含まれる定型の項目に対する入力データを保存するためのテーブルを公開情報蓄積手段に生成し、生成したテーブルに、取得した公開情報に含まれる定型の項目に対する入力データを記憶する。
これにより、情報閲覧装置では、公開情報を検索できる形式で記憶することが出来る。
【００１４】
また、本発明の情報公開システムは、前記メタデータ定義蓄積装置の記憶手段には、前記メタデータ定義表に対応した前記メタデータ定義表の定型の項目への検索を補助するコンテンツ抽出補助ファイルが記憶されており、前記情報閲覧装置には、前記情報閲覧装置内に設けられる受付手段であって、情報閲覧端末から前記メタデータ定義表を選択する条件の入力を受け付ける第３の入力受付手段と、前記受け付けた選択する条件に一致する前記メタデータ定義表を前記メタデータ定義蓄積装置の記憶手段から取得し、前記取得したメタデータ定義表に対応するコンテンツ抽出補助ファイルをメタデータ定義蓄積装置の記憶手段から取得するメタデータ定義取得手段と、前記取得したメタデータ定義表および前記コンテンツ抽出補助ファイルに基づいて抽出用入力フォームを生成し、該入力フォームを情報閲覧端末に表示させる第２のユーザーインターフェース生成手段と、前記抽出用入力フォームに基づいて前記情報閲覧端末により入力された抽出条件を受け付け、前記受け付けた抽出条件に該当する前記検索可能な公開情報を前記公開情報蓄積手段から取得するコンテンツ抽出手段と、を備えると共に、前記コンテンツ抽出手段により取得した検索可能な公開情報を前記情報閲覧端末に出力する受付手段を、備えることを特徴とする。
このような構成により、情報閲覧装置は、情報閲覧端末からメタデータ定義表を選択する条件の入力を受け付け、受け付けた選択する条件に一致するメタデータ定義表とこのメタデータ定義表に対応するコンテンツ抽出補助ファイルとをメタデータ定義蓄積装置の手段から取得し、取得したメタデータ定義表およびコンテンツ抽出補助ファイルに基づいて抽出用入力フォームを生成し、この入力フォームに基づいて前記情報閲覧端末により入力された抽出条件を受け付け、受け付けた抽出条件に該当する公開情報を公開情報蓄積手段から取得し、取得した公開情報を情報閲覧端末に出力する。
これにより、情報閲覧装置では、公開情報を定型の項目で検索できる形で記憶しているため、検索が容易に出来る。また、メタデータ定義表と前記コンテンツ抽出補助ファイルに基づいて、検索条件を入力するための抽出用入力フォームを生成し、ユーザはこの抽出用入力フォームに検索条件を入力するために、ユーザが検索条件を入力しやすくなる。
【００１５】
また、本発明の情報公開システムは、前記受付手段は、前記情報閲覧端末から入力された抽出条件に該当する候補を前記データ蓄積装置から検索する第２の検索手段と、前記第２のユーザーインターフェース生成手段が、前記第２の検索手段が検索した候補を、前記生成した抽出用入力フォームの入力欄に挿入する、ことを特徴とする。
このような構成により、情報閲覧装置は、情報閲覧端末から入力された抽出条件に該当する候補をデータ蓄積装置より取得する。
これにより、候補をデータ蓄積装置より取得することができ、ユーザは候補選択の入力を容易に行えるようになる。
【００１６】
また、本発明の情報公開システムは、前記公開情報が、前記メタデータ定義表で定義される定型項目のデータを含むブログの記事情報であることを特徴とする。
このような構成により、ユーザは、メタデータ定義表に基づいた定型の項目のデータを含むブログ（blog：Web Logの略）の記事情報を作成し、作成した記事情報を、情報公開装置に送信する。
これにより、ユーザはブログの記事情報をネットワーク上で公開することができる。
【００１７】
また、本発明の情報公開方法は、情報発信端末から受け付けたデータを基にメタデータ付与したコンテンツを生成してネットワーク上に公開する情報公開システムにおける情報公開方法であって、前記ネットワークに接続されるメタデータ定義蓄積装置により、定型の項目を含むメタデータ定義表、および前記メタデータ定義表に対応した前記メタデータ定義表の定型の項目への入力を補助するコンテンツ作成補助ファイルを記憶する手順が行われ、前記ネットワークに接続されるメタデータ付与装置により、前記メタデータ定義表および前記コンテンツ作成補助ファイルに基づいて、入力フォームを生成し、生成した入力フォームを前記情報発信端末に送信するユーザーインターフェース生成手順と、前記入力フォームに基づいて前記情報発信端末により入力されたデータを受け付ける入力受付手順と、前記受け付けたデータに基づいて、前記定型の項目を含むコンテンツであるメタデータ付与コンテンツを生成するメタデータ付与コンテンツ生成手順と、が行われることを特徴とする。
【発明の効果】
【００１８】
本発明においては、定型の項目を含むメタデータ定義表、および前記メタデータ定義表に対応した前記メタデータ定義表の定型の項目への入力を補助するコンテンツ作成補助ファイルを用いて、定型の項目の入力をするため、ユーザが、分かりやすくなった定型の項目に対して入力が出来るという効果を奏する。
【００１９】
また、分散された情報公開装置において、同一の話題についての定型の項目のフォーマットが統一される。また、コンテンツ作成補助ファイルに記述されるスクリプトにより、膨大な選択肢や頻繁に変更される選択肢に対応し、定型の項目に合わせた出力方法の設定や抽出方法の設定が可能になる。
【発明を実施するための最良の形態】
【００２０】
以下、図面を参照して本発明の実施の形態について詳細に説明する。
図１は、本発明の情報公開システムの構成例を示す図である。
本発明の情報公開システム１は、メタデータ定義蓄積装置２と、メタデータ付与装置３と、複数の情報公開装置４と、情報閲覧装置５と、情報発信端末６と、情報閲覧端末７とを有し、これらはインターネット、ＬＡＮ（Local Area Network)等のネットワーク８に接続されている。
【００２１】
メタデータ定義蓄積装置２は、メタデータ定義表９と、コンテンツ作成補助ファイル１０と、コンテンツ抽出補助ファイル１１とを記憶した記憶部２１を有する。メタデータ定義表９には、そのメタデータ定義表の記載内容のテーマに沿った複数の項目が設定されている。なお、メタデータとは、データについての情報を記述したデータのことである。
【００２２】
図２は、メタデータ定義表９の一例を示す図である。
図２に示すように、メタデータ定義表９には、このメタデータ定義表の記載内容の主題等を示す「話題の対象（識別情報：ＩＤ）」の項目と、「名称」や「産地」など文字列の入力を求める項目などから構成される。
【００２３】
なおここで、本明細書で使用される、「定型の項目」と「メタデータ定義」という用語について、補足して説明しておく。
「定型の項目」とは、その項目に入力されるデータ項目名と、そのデータの型が予め決められている項目である。例えば、図2のメタデータ定義表には、データ項目名が「名称」、そのデータの型が「文字列」である第１の項目と、データ項目名が「産地」、そのデータの型が「文字列」である第2の項目との、複数の項目が記述されている。なお、例えば、データ項目名と、そのデータ項目名のデータの型とは、データベースを例にすると、フィールドと、そのフィールドの型のことである。
【００２４】
図３は、メタデータ付与装置３の構成例を示す図である。
メタデータ付与装置３は、情報発信端末６からメタデータ定義を選択する情報が入力され、入力されたメタデータ定義表９を選択する情報に基づいてメタデータ定義蓄積装置２からメタデータ定義表９を取得し、取得したメタデータ定義表９に基づいて入力フォームを生成し、生成した入力フォームをユーザの端末である情報発信端末６に表示し、表示した入力フォームにユーザが入力した情報を情報発信端末６から受信する。
【００２５】
また、メタデータ付与装置３は、情報発信端末６から受信したユーザが入力した情報を、ユーザが選択した情報公開装置４に送信する。また、メタデータ付与装置３は、受付部３１とメタデータ定義取得部３２とメタデータ付与コンテンツ生成部３３とを有する。
【００２６】
情報公開装置４とは、例えば、ブログサーバである。例えば、ユーザは、メタデータ付与装置３により、メタデータ定義表９に基づいてブログの記事情報を作成し、作成した記事情報を、情報公開装置４に送信することにより、ブログ（ｂｌｏｇ：Ｗｅｂｌｏｇ）の記事情報を公開することができる。
【００２７】
受付部３１は、ユーザーインターフェース生成部３１ａと、入力受付部３１ｂと、検索部３１ｃを備える。
【００２８】
ユーザーインターフェース生成部３１ａは、メタデータ定義蓄積装置２に蓄積されたメタデータ定義表９と、コンテンツ作成補助ファイル１０とに基づいて、情報発信端末６に表示される入力フォームを作成する。なお、コンテンツ作成補助ファイル１０については後述する。
【００２９】
入力受付部３１ｂは、ユーザーインターフェース生成部３１ａにより作成された入力フォームに基づいて情報発信端末６へ操作画面を表示し、情報発信端末６のユーザが入力した情報が送信されるのを待つ。次に、送信された情報を受信した入力受付部３１ｂは、受信した情報をユーザーインターフェース生成部３１ａ、または検索部３１ｃ、またはメタデータ付与コンテンツ生成部３３に送信する。
【００３０】
検索部３１ｃは、入力受付部３１ｂから受信した情報およびコンテンツ作成補助ファイル１０に基づいて、対応するデータ蓄積装置１３に対し、情報発信端末６から入力された検索キーにより検索を行う。得られた検索結果をユーザーインターフェース生成部３１ａ、またはメタデータ付与コンテンツ生成部３３に送信する。この場合に、コンテンツ作成補助ファイル１０には、データ蓄積装置１３へ接続するための接続情報が記述されており、メタデータ付与装置３は、コンテンツ作成補助ファイル１０に記述されている接続情報に基づいてデータ蓄積装置１３へ接続する。この接続情報には、データ蓄積装置１３を識別する情報、データ蓄積装置１３へのユーザ名情報、パスワード情報、などが含まれる。
【００３１】
なお、前述の「情報発信端末６から入力された検索キー」には、２つの実施形態がある。第１には、情報発信端末６のユーザが、直接に情報発信端末６に入力した情報の場合がある。第２には、情報発信端末６の識別情報（端末識別情報：ＩＤ）に基づいて、メタデータ付与装置３が、ユーザの好みの情報を検索して検索キーとする場合がある。第２の場合には、例えば、情報発信端末６の識別情報（端末識別情報）が予めメタデータ付与装置３に記憶されており、メタデータ付与装置３には、端末識別情報に関連付けてユーザの情報、例えば、好みなどの情報が記憶部に記憶されている。メタデータ付与装置３は、端末識別情報を受信すると、端末識別情報に対応する好みなどの情報を記憶部より取得し、取得した情報を検索キーとして、該当する候補をデータ蓄積装置１３から検索する。
【００３２】
メタデータ定義取得部３２は、ユーザーインターフェース生成部３１ａ、メタデータ付与コンテンツ生成部３３の指示に基づいて、メタデータ定義蓄積装置２からメタデータ定義表９とコンテンツ作成補助ファイル１０を取得する。
【００３３】
メタデータ付与コンテンツ生成部３３は、メタデータ定義表９とコンテンツ作成補助ファイル１０に基づいて、受付部３１から受け取ったデータにメタデータを付与する。
【００３４】
前述したように、メタデータ付与装置３のユーザーインターフェース生成部３１ａは、メタデータ定義表９およびコンテンツ作成補助ファイル１０から入力フォームを生成する。メタデータ定義表９には各定型項目の「データ名」や「データ型」等が記述されており、コンテンツ作成補助ファイル１０には、それらの項目をユーザに入力してもらう入力フォームの作り方が定義されている。
【００３５】
このコンテンツ作成補助ファイル１０により、ユーザに分かりにくい「データ名（たとえば「名前（name）」）」ではなく、「入力してもらうデータの意味（たとえば「お名前」）」で入力フォームを作成したり、データ型に合わないデータが入力された際の警告表示や、入力しやすくするためのユーザ補助等が記述される。なお、「入力しやすくするためのユーザ補助」の機能の一つとして、入力候補が蓄積されているデータベース等との連携方法をコンテンツ作成補助ファイルに記述することで、ユーザにデータベースと連動した入力候補を提示することもできる。
【００３６】
また、コンテンツの定義として、例えば、ブログの記事とこれに付加される定型データ群（ブログの記事＋定型データ群）がある。定型データ群が何であるかは「メタデータ定義表」によって定義されるもので、ユーザがどのような情報を付与したいかによってデータは異なってくる。
【００３７】
一例を示すと、たとえば「ワインに関するブログ」を作成する人たちが「産地、年度、葡萄の品種」等の情報を定型で記事に付与すると便利だと考えるならば、それらの項目を「メタデータ定義表」に定義し、それを付与しやすくするための「コンテンツ作成補助ファイル」を用意して、それを用いてメタデータ付与装置から記事を書くと、そのブログ記事には通常の記事に加えて「産地、年度、葡萄の品種」等の「定型の項目」を含むコンテンツ（ブログ＋定型項目）が作成される。すなわち、コンテンツは、ブログの記事等と定型データ群（コンテンツ＝ブログの記事等＋定型データ群）になる。
【００３８】
このように、本発明の情報公開システムにおいては、定型の項目を含むメタデータ定義表、およびメタデータ定義表に対応したメタデータ定義表の定型の項目への入力を補助するコンテンツ作成補助ファイルを用いて、定型の項目の入力をするため、ユーザが、分かりやすくなった定型の項目に対して入力が出来るという効果を奏する。
【００３９】
また、定型の項目を含むメタデータ定義表、およびメタデータ定義表の定型の項目への入力を補助するコンテンツ作成補助ファイルを用いて、定型の項目の入力をするため、入力したデータを、定型の項目と合致させることが出来るという効果を奏する。
【００４０】
なお、データ蓄積装置１３は、情報公開システム１の一部として構成されるものでもよく、また、第三者によって提供されているものでもよく、受付部１３１、データ記憶部１３２を有する。
【００４１】
図４は、コンテンツ作成補助ファイル１０の一例を示す図である。
図４に示すように、コンテンツ作成補助ファイル１０には、コンテンツの入力時に用いる「入力」項目と、入力時に必要な制御、例えばデータ蓄積装置１３の利用方法等、を記述する「入力画面でのスクリプト」項目と、作成する入力フォームのデータ形式を定義する「入力フォーム」項目と、を有している。
【００４２】
また、コンテンツにメタデータを付与するときに用いる「出力」項目と、項目ごとに表示する値を変更するための「出力項目」項目と、項目名を示す「名前」項目と、その項目の値に応じて、画面に表示するものを設定する「表示」項目と、出力のデータ形式を定義する「出力フォーム」項目などを有している。
【００４３】
以上、メタデータ定義蓄積装置２およびメタデータ付与装置３の構成例について説明したが、前述したメタデータ定義蓄積装置の記憶手段はメタデータ定義蓄積装置２の記憶部２１が相当し、メタデータ付与装置の第１のユーザーインターフェース生成手段はメタデータ付与装置３のユーザーインターフェース生成部３１ａが相当し、第１の入力受付手段は入力受付部３１ｂが相当し、メタデータ付与コンテンツ生成手段はメタデータ付与コンテンツ生成部３３が相当し、第１の検索手段は検索部３１ｃが相当する。
【００４４】
これにより、メタデータ定義蓄積装置２の記憶部（記憶手段）２１に、図２に例示した定型の項目を含むメタデータ定義表９と、図４に例示したコンテンツ作成補助ファイル１０を記憶させておく。
【００４５】
メタデータ付与装置３のユーザーインターフェース生成部（ユーザーインターフェース手段）３１ａは、メタデータ定義蓄積装置２の記憶部（記憶手段）２１から取得したメタデータ定義表９およびコンテンツ作成補助ファイル１０に基づいて、入力フォームを生成し、生成した入力フォームを情報発信端末６に送信し、入力フォームに基づいて情報発信端末６により入力されたデータを入力受付部（入力受付手段）３１ｂが受け付る。
【００４６】
また、メタデータ付与コンテンツ生成部（メタデータ付与コンテンツ生成手段）３３により、受け付けたデータに基づいて、定型の項目を含むコンテンツであるメタデータ付与コンテンツを生成する。
【００４７】
このため、ユーザは、分かりやすい定型の項目に対して入力が出来るようになる。また、分散された情報公開装置において、同一の話題についての定型の項目のフォーマットが統一される。また、コンテンツ作成補助ファイルに記述されるスクリプトにより、膨大な選択肢や頻繁に変更される選択肢に対応し、定型の項目に合わせたコンテンツの出力方法の設定や抽出方法の設定が可能になる。
【００４８】
また、定型の項目に入力する候補が記憶されているデータ蓄積装置１３を設けておき、メタデータ付与装置３の検索部（第１の検索手段）３１ｃにより、情報発信端末６から入力された検索キーに該当する候補をデータ蓄積装置１３のデータ記憶部１３２から検索する。
【００４９】
また、ユーザーインターフェース生成部（第１のユーザーインターフェース生成手段）３１ａが、検索部（第１の検索手段）３１ｃがデータ蓄積装置１３から検索した候補を、生成した入力フォームの入力欄に挿入する。
【００５０】
これにより、項目として膨大な選択肢や頻繁な選択肢がある場合は、選択肢となるデータを蓄積しているデータ蓄積装置１３を利用可能することができる。また、データ蓄積装置１３が新たに追加されるなどの変更が生じてもメタデータ定義表９で定義される項目の定義自体は変更することなく、コンテンツ作成補助ファイル１０の変更による対応が可能である。
【００５１】
図５は、情報公開装置４の構成例を示す図である。
情報公開装置４は、メタデータ付与装置３または情報発信端末６から送信されたデータを受け取り、ネットワーク８に公開情報（メタデータ付与コンテンツ）１２を公開するものであり、入力受付部４１、情報蓄積部４２、公開情報生成部４３、情報公開部４４から構成される。
【００５２】
入力受付部４１は、メタデータ付与装置３から送信されたデータを受け取り、情報蓄積部４２に送信する。
情報蓄積部４２は、入力受付部４１から受け取ったデータを蓄積し、公開情報生成部４３へ送信する。
公開情報生成部４３は、情報蓄積部４２からデータを受け取り、ネットワーク８で公開するための公開情報を作成し、情報公開部４４へ送信する。
情報公開部４４は、公開情報生成部４３から送信されたデータをネットワーク８上に公開情報１２として公開する。
【００５３】
図６は、公開情報１２の一例を示す図である。
図６に示すように、公開情報１２には、記述内容の「タイトル」や「記述日時」のほかに、話題における定型項目部分を示す、「話題定型項目」項目と、話題の対象を示す「話題の対象（識別情報：ＩＤ）」項目と、本例ではワインを話題とするときの具体的な項目として「名称」「産地」「お勧め度」など、で構成される。
【００５４】
以上情報公開装置４の構成例について説明したが、前述した情報公開装置の第２の入力受付手段は情報公開装置４の入力受付部４１が相当し、公開情報生成手段は公開情報生成部４３が相当し、情報公開手段は情報公開部４４が相当する。
【００５５】
これにより、情報公開装置４の入力受付部（第２の入力受付手段）４１は、メタデータ付与装置３のメタデータ付与コンテンツ生成部（メタデータ付与コンテンツ生成手段）３３からメタデータ付与コンテンツを受け付け、公開情報生成部（公開情報生成手段）４３により、受け付けたメタデータ付与コンテンツ含む公開情報を生成し、情報公開部（情報公開手段）４４により公開情報をネットワーク上に公開する。
【００５６】
このため、ネットワーク上で情報公開装置４を分散して配置する場合に、同一の話題についての定型の項目のフォーマットを統一することができる。
【００５７】
また、メタデータ付与装置３と情報公開装置４とを分離しているので、情報発信端末６のユーザは、メタデータ付与装置３によりメタデータ定義表９による情報を生成し、生成した情報を、情報公開装置４に公開情報として公開することが可能となる。つまり、例えば、ユーザは、メタデータ付与装置３によりメタデータ定義表９を利用したブログ記事を作成し、ユーザが通常使用しているブログサーバである情報公開装置４を用いて、作成したブログ記事を公開することが可能となる。
【００５８】
図７は、情報閲覧装置５の構成例を示す図である。
情報閲覧装置５は、ネットワーク８上にある公開情報１２を取得し、蓄積し、情報閲覧端末７からの検索要求を公開情報蓄積部５２に対して実行し、検索結果を表示するものであり、公開情報取得部５１と公開情報蓄積部５２とメタデータ定義取得部５３と受付部５４から構成される。
【００５９】
公開情報取得部５１は、ネットワーク８上のコンテンツ（公開情報）１２を取得し、メタデータ定義取得部５３により取得したメタデータ定義表９に基づいて、取得した公開情報を検索可能な公開情報として公開情報蓄積部５２に蓄積する。例えば、メタデータ定義取得部５３が取得したメタデータ定義表９に基づいて、取得した公開情報に含まれる定型項目に入力された入力データを保存するためのテーブルを公開情報蓄積部５２に生成し、この生成したテーブルに取得した公開情報に含まれる定型項目に入力された入力データを検索可能な公開情報として記憶する。
【００６０】
公開情報蓄積部５２は、公開情報取得部５１より送られたデータを蓄積すると共に、検索部５４ｄからの検索指示に基づいて検索結果をユーザーインターフェース生成部５４ａに送信する。なお、公開情報蓄積部５２は、公開情報そのものを記憶するようにしてもよい。
【００６１】
メタデータ定義取得部５３は、メタデータ定義蓄積装置２からメタデータ定義表９とコンテンツ抽出補助ファイル１１を取得し、公開情報取得部５１および受付部５４に送信する。なお、コンテンツ抽出補助ファイル１１は、コンテンツ作成補助ファイル１０と同様に、メタデータ定義表９への入力をユーザにとって容易にするためのものである。ただし、コンテンツ作成補助ファイル１０は、コンテンツを作成するための入力をしやすくするためのものであり、コンテンツ抽出補助ファイル１１はコンテンツを検索するための入力をしやすくするためのものである。
【００６２】
受付部５４は、ユーザーインターフェース生成部５４ａ、入力受付部５４ｂ、コンテンツ抽出部５４ｃ、検索部５４ｄから構成される。
【００６３】
ユーザーインターフェース生成部５４ａは、メタデータ定義取得部５３から送信されたメタデータ定義表９、コンテンツ抽出補助ファイル１１や、公開情報蓄積部５２から送信されたデータに応じて、入出力画面を生成し情報閲覧端末７に送信する。
【００６４】
入力受付部５４ｂは、情報閲覧端末７から送信されたデータを受け付けて、コンテンツ抽出部５４ｃに送信する。
【００６５】
コンテンツ抽出部５４ｃは、入力受付部５４ｂから送信されたデータを基に、公開情報蓄積部５２に対して検索を行う。
【００６６】
検索部５４ｄは、入力受付部５４ｂから受信した情報およびコンテンツ抽出補助ファイル１１に基づいて、対応するデータ蓄積装置１３に対して検索を行う。得られた検索結果をユーザーインターフェース生成部５４ａ、またはコンテンツ抽出部５４ｃに送信する。
【００６７】
なお、コンテンツ抽出補助ファイル１１には、データ蓄積装置１３へ接続するための接続情報が記述されており、情報閲覧装置５は、コンテンツ抽出補助ファイル１１に記述されている接続情報に基づいてデータ蓄積装置１３へ接続する。この接続情報には、データ蓄積装置１３を識別する情報、データ蓄積装置１３へのユーザ名情報、パスワード情報、などが含まれる。
【００６８】
また、情報発信端末６、情報閲覧端末７は、パソコンや携帯電話などネットワークにアクセスできる機能を有する端末である。
【００６９】
図８は、コンテンツ抽出補助ファイル１１の一例を示す図である。
図８に示すように、コンテンツ抽出補助ファイル１１には、コンテンツの抽出方法を複数設定するために識別情報（ＩＤ）を記述する「抽出方法」項目、抽出条件の入力時に用いる「入力」項目と、入力時に必要な制御、例えばデータ蓄積装置１３の利用方法等、を記述する「入力画面でのスクリプト」項目と、作成する抽出用入力フォームを定義する「入力フォーム」項目と、を有している。
【００７０】
また、抽出結果を記述するときに用いる「出力」項目と、項目ごとに表示する値を変更するための「出力項目」項目と、項目名を示す「名前」項目と、その項目の値に応じて、画面に表示するものを設定する「表示」項目と、出力のデータ形式を定義する「出力フォーム」項目などを有している。
【００７１】
なお、上述の「抽出条件」というのは、コンテンツに付与されたメタデータ（例えば、ワインの例では産地、年度、葡萄の品種）に対してユーザが指定した条件（例えばボルドー産、１９９０年、ピノ・ノワール）を満たすコンテンツということになる。この「ユーザが指定した条件」を入力してもらうために、情報閲覧装置５では「メタデータ定義表９」および「コンテンツ抽出補助ファイル１１」を用いる。
【００７２】
また、コンテンツ抽出補助ファイル１１は、多数のコンテンツから、特定の条件を満たすコンテンツ群を抽出するために利用されるものである。ここで、コンテンツ抽出補助ファイルは、例えばワインに関する複数のコンテンツから特定条件（たとえば産地）にあうコンテンツを抽出するためには、ユーザが特定したい定型項目（産地、年度、葡萄の品種）に対する条件（たとえば１９８０年〜１９９０年、ボルドー産）で抽出するのが便利であるが、その抽出条件をユーザに入力してもらう際、メタデータ定義表の「データ名（たとえばplace）」ではなく、「産地」という表現で抽出条件を入力する抽出用入力フォームを作成したり、間違った入力に対して警告を表示するために使用される。
【００７３】
なお、情報公開装置４から公開される公開情報（コンテンツ）と、情報閲覧装置５で公開する情報とは、フォーマットを変えることも可能であり、情報閲覧装置５から公開する場合には、例えばユーザが指定した条件に一覧表示にして見やすくしたり、その際に適合の度合いに応じて「適合度」などの表示を付けたり、表示順位を変えることなども考えられる。
【００７４】
以上情報閲覧装置５の構成例について説明したが、前述の情報閲覧装置の公開情報取得手段は情報閲覧装置５の公開情報取得部５１が相当し、メタデータ定義取得手段はメタデータ定義取得部５３が相当し、公開情報蓄積手段は公開情報蓄積部５２が相当し、受付手段は受付部５４が相当し、第３の入力受付手段は入力受付部５４ｂが相当し、第２のユーザーインターフェース生成手段はユーザーインターフェース生成部５４ａが相当し、コンテンツ抽出手段はコンテンツ抽出部５４ｃが相当し、第２の検索手段は検索部５４ｄが相当する。
【００７５】
これにより、情報閲覧装置５の公開情報取得部（公開情報取得手段）５１は、情報公開装置４の情報公開部（情報公開手段）４４から公開情報１２を取得し、メタデータ定義取得部（メタデータ定義取得手段）５３により、取得した公開情報１２に対応するメタデータ定義表９をメタデータ定義蓄積装置２の記憶部（記憶手段）２１から取得し、取得した公開情報１２を公開情報蓄積部（公開情報蓄積手段）４２に記憶する。
【００７６】
この際に、公開情報取得部（公開情報取得手段）５１は、メタデータ定義取得部（メタデータ定義取得手段）５３が取得したメタデータ定義表９に基づいて、取得した公開情報１２を検索可能な公開情報として公開情報蓄積部（公開情報蓄積手段）５２に記憶する。
【００７７】
このため、情報閲覧装置５では、公開情報を検索できる形式で公開情報蓄積部（公開情報蓄積手段）５２に記憶することが出来る。
【００７８】
また、メタデータ定義蓄積装置２の記憶部（記憶手段）２１には、メタデータ定義表９の定型の項目への検索を補助するコンテンツ抽出補助ファイル１１が記憶させておく。
【００７９】
そして、 情報閲覧装置５の受付部（受付手段）５４は、入力受付部（第３の入力受付手段）により、情報閲覧端末７からメタデータ定義表９を選択する条件の入力を受け付け、メタデータ定義取得部（メタデータ定義取得手段）５３により、受け付けた選択する条件に一致するメタデータ定義表９をメタデータ定義蓄積装置２の記憶部（記憶手段）２１から取得する。
【００８０】
ユーザーインターフェース生成部（第２のユーザーインターフェース生成手段）５４ａは、取得したメタデータ定義表９およびコンテンツ抽出補助ファイル１１に基づいて抽出用入力フォームを生成し、該抽出用入力フォームを情報閲覧端末７に表示させる。
【００８１】
コンテンツ抽出部（コンテンツ抽出手段）５４ｃは、抽出用入力フォームに基づいて情報閲覧端末７により入力された抽出条件を受け付け、受け付けた抽出条件に該当する検索可能な公開情報を公開情報蓄積部（公開情報蓄積手段）５２から取得する。そして、コンテンツ抽出部（コンテンツ抽出手段）５４ｃにより取得した検索可能な公開情報を情報閲覧端末７に出力する。
【００８２】
これにより、情報閲覧装置５では、公開情報を定型の項目で検索できる形で記憶しているため、検索が容易に出来る。また、メタデータ定義表９と前記コンテンツ抽出補助ファイル１１に基づいて、検索条件を入力するための抽出用フォームを生成し、ユーザはこの抽出用フォームに検索条件を入力するために、ユーザが検索条件を入力しやすくなる。
【００８３】
また、情報閲覧装置５の受付部（受付手段）５４は、検索部（第２の検索手段）５４ｄにより、情報閲覧端末７から入力された抽出条件に該当する候補をデータ蓄積装置１３から検索し、ユーザーインターフェース生成部（第２のユーザーインターフェース生成手段）５４ａが、検索部（第２の検索手段）５４ｄが検索した候補を、生成した抽出用入力フォームの入力欄に挿入する。
【００８４】
これにより、候補をデータ蓄積装置より取得することができ、ユーザは候補選択の入力を容易に行えるようになる。
【００８５】
以上、本発明の情報公開システムを構成する各装置の構成について説明したが、上述のコンテンツ作成補助ファイル１０およびコンテンツ抽出補助ファイル１１には、データ蓄積装置１３へ接続するための接続情報が記述されており、メタデータ定義蓄積装置２および情報閲覧装置５は、コンテンツ作成補助ファイル１０およびコンテンツ抽出補助ファイル１１に記述されている接続情報に基づいてデータ蓄積装置１３へ接続する。
【００８６】
この接続情報には、データ蓄積装置１３を識別する情報、データ蓄積装置１３へのユーザ名情報、パスワード情報、などが含まれる。
【００８７】
また、公開情報１２は作成されたコンテンツそのものである場合もあれば、作成されたコンテンツを別の定型書式に書き換えたものである可能性もある。たとえば、定型データ群を含むコンテンツを、ＸＭＬ形式やＣＳＶ形式で記述する場合もあれば、データベース化してコンテンツと定型データ群を別々に公開しそれぞれの情報から他方に辿り着けるようにリンク等を設定しておくような公開方法も考えられる。
【００８８】
また、「メタデータ定義表」、「コンテンツ作成補助ファイル」、「コンテンツ抽出補助ファイル」は、それぞれ、「対応」づけるための識別情報を含んでいる（図２、図４、図８を参照）。
【００８９】
図２の「メタデータ定義表」、図４の「コンテンツ作成補助ファイル」、図８の「コンテンツ抽出補助ファイル」には、それぞれの識別情報がＩＤとして記述されている。この識別情報が一致することが、このＩＤによる各ファイルの対応関係が識別される。
【００９０】
例えば、メタデータ付与装置３は、「メタデータ定義表」の識別情報を検出し、識別情報が一致する「コンテンツ作成補助ファイル」をメタデータ定義蓄積装置２の記憶部２１より選択することにより、「メタデータ定義表」に対応する「コンテンツ作成補助ファイル」を取得する。
【００９１】
また、公開情報１２にも、公開情報１２を生成するときに用いた「メタデータ定義表」の識別情報が含まれている（図６を参照）。情報閲覧装置５は、公開情報１２に含まれる識別情報と一致する識別情報を有する「メタデータ定義表」、「コンテンツ作成補助ファイル」、「コンテンツ抽出補助ファイル」をメタデータ定義蓄積装置２の記憶部２１から選択して取得する。また、メタデータ付与装置３は、公開情報を生成するときに用いた「メタデータ定義表」の識別情報を含めて公開情報を生成する。
【００９２】
次に、本実施の形態による情報公開システムの動作について説明する。
まず、図９を参照して、情報公開動作について説明する。
【００９３】
情報発信端末６より、メタデータ付与装置３に対して入力開始の指示が送られることにより、情報公開動作が開始される。
【００９４】
メタデータ付与装置３は、情報発信端末６がアクセスしたことを検出すると、ユーザーインターフェース生成部３１ａにより、その情報発信端末６に表示する入力フォームを生成し、表示させる。（ステップＳ１０１）この入力フォームには、例えば複数の話題が表示され、情報発信端末６のユーザはその話題の中から所望する話題を選択する。
【００９５】
情報発信端末６により選択された話題が、メタデータ定義表９を利用している場合（ステップＳ１０２：ＹＥＳ）、メタデータ付与装置３のメタデータ定義取得部３２は、対応するメタデータ定義表９とコンテンツ作成補助ファイル１０をメタデータ定義蓄積装置２の記憶部２１から取得し（ステップＳ１０３、Ｓ１０４）、ユーザーインターフェース生成部３１ａに送信する。
【００９６】
メタデータ定義表９とコンテンツ作成補助ファイル１０を受信すると、ユーザーインターフェース生成部３１ａは、情報発信端末６のユーザによって選択された話題に関するデータを入力するための入力フォームをメタデータ定義表９とコンテンツ作成補助ファイル１０に基づいて、生成し、表示させる（ステップＳ１０５）。
【００９７】
情報発信端末６により選択された話題が、メタデータ定義表９を利用していない場合（ステップＳ１０２：ＮＯ）、ユーザーインターフェース生成部３１ａは、情報発信端末６のユーザによって選択された話題に関するデータを入力するための入力フォームを生成し、表示させる（ステップＳ１０５）。
【００９８】
情報発信端末６のユーザによって選択された話題に関するデータを入力するための入カフォームにおいて、データ蓄積装置１３を用いた入力が必要である場合（ステップＳ１０６：ＹＥＳ）、検索部３１ｃは、情報発信端末６からの指示に基づいて、データ蓄積装置１３の受付部１３１に対して検索指示を送信し、検索結果を受け取る（ステップＳ１０７）。検索部３１ｃは受け取った検索結果をユーザーインターフェース生成部３１ａに渡し、情報発信端末６に表示する。入力受付部３１ｂは、情報発信端末６のユーザにより情報発信端末６から入力されたデータを受け付ける（ステップＳ１０８）。
【００９９】
情報発信端末６のユーザによって選択された話題に関するデータを入力するための入カフォームにおいて、データ蓄積装置１３を用いた入力が必要でない場合（ステップＳ１０６：ＮＯ）、入力受付部３１ｂは、情報発信端末６のユーザにより情報発信端末６から入力されたデータを受け付ける（ステップＳ１０８）。
【０１００】
入力受付部３１ｂは、受け付けたデータをメタデータ付与コンテンツ生成部３３に送信する。メタデータ付与コンテンツ生成部３３は、メタデータ定義表９とコンテンツ作成補助ファイル１０に基づいて、受け付けたデータを加工して、メタデータ付与コンテンツを生成する（ステップＳ１０９）。
【０１０１】
メタデータ付与装置３は、作成されたコンテンツをデータとして情報公開装置４へ送信する。情報公開装置４の入力受付部４１は、メタデータ付与装置３から送信されたデータを受け付ける（ステップＳ１１０）。
【０１０２】
情報公開装置４の入力受付部４１は、受信したデータを情報蓄積部４２に蓄積する（ステップＳ１１１）。
【０１０３】
公開情報生成部４３は、情報蓄積部４２に蓄積されたコンテンツを公開に適した形に加工して、公開情報を作成し、情報公開部４４に送信する。（ステップＳ１１２）
【０１０４】
情報公開部４４は、公開情報をネットワーク８上に公開情報１２として公開する（ステップＳ１１３）。
【０１０５】
次に、図１０を参照して、情報閲覧動作について説明する。図１０は、情報閲覧動作を示すフローチャートである。以下、図１０を参照して、情報閲覧動作の処理の流れについて説明する。
【０１０６】
情報閲覧端末７より、情報閲覧装置５に対して閲覧開始の指示が送られることにより、情報閲覧動作が開始される。
【０１０７】
情報閲覧端末７の指示に基づいて、情報閲覧装置５の公開情報取得部５１が、ネットワーク８上の公開情報（コンテンツ）１２を取得し、公開情報蓄積部５２に保存する（ステップＳ２０１）。
【０１０８】
情報閲覧装置５のユーザーインターフェース生成部５４ａが、閲覧コンテンツ選択画面を生成し、情報閲覧端末７に表示する（ステップＳ２０２）。情報閲覧端末７のユーザによって情報閲覧端末７から送信された所望のコンテンツが定型項目を利用している場合（ステップＳ２０３：ＹＥＳ）、メタデータ定義取得部５３はメタデータ定義表９とコンテンツ抽出補助ファイル１１を取得する（ステップＳ２０４、Ｓ２０５）。
ユーザーインターフェース生成部５４ａは、メタデータ定義表９とコンテンツ抽出補助ファイル１１に基づいて、コンテンツ抽出条件入力画面を表示する（ステップＳ２０６）。
【０１０９】
情報閲覧端末７のユーザによって情報閲覧端末７から送信された所望のコンテンツが定型項目を利用していない場合（ステップＳ２０３：ＮＯ）、ユーザーインターフェース生成部５４ａは、コンテンツ抽出条件入力画面を表示する（ステップＳ２０６）。
【０１１０】
所望のコンテンツ抽出条件入力画面において、データ蓄積装置１３を用いた抽出用入力フォームが必要な場合（ステップＳ２０７：ＹＥＳ）、検索部５４ｄは、情報閲覧端末７からの指示に基づいて、データ蓄積装置１３の受付部１３１に対して検索指示を送信し、検索結果を受け取る（ステップＳ２０８）。検索部５４ｄは受け取った検索結果をユーザーインターフェース生成部５４ａに渡し、情報閲覧端末７に表示する。入力受付部５４ｂは、情報閲覧端末７から入力されたデータを受け取り、コンテンツ抽出部５４ｃに送信する（ステップＳ２０９）。
【０１１１】
所望のコンテンツ抽出条件入力画面において、データ蓄積装置１３を用いた抽出用入力フォームが必要でない場合（ステップＳ２０７：ＮＯ）、入力受付部５４ｂは、情報閲覧端末７から入力されたデータを受け取り、コンテンツ抽出部５４ｃに送信する（ステップＳ２０９）。
【０１１２】
コンテンツ抽出部５４ｃは、受け取ったデータすなわちコンテンツ抽出条件に基づいて、公開情報蓄積部５２から所望のコンテンツを取得し、情報閲覧端末７に表示する（ステップＳ２１０）。
【０１１３】
このように本発明の情報公開システムによれば、メタデータ付与装置３がメタデータ定義蓄積装置２のメタデータ定義表９およびコンテンツ作成補助ファイル１０を参照し、適した形のユーザの入力フォームを生成し、項目と、項目に入力された値とをコンテンツ作成補助ファイル１０に基づいて出力したものを、情報公開装置４にて公開情報１２として公開するため、分散された情報公開装置４においても、同一の話題についての定型の項目のフォーマットが統一される。
【０１１４】
項目として膨大な選択肢や頻繁な選択肢がある場合は、コンテンツ作成補助ファイル１０に記述されるスクリプトにより、選択肢となるデータを蓄積しているデータ蓄積装置１３を利用可能とすることができる。利用データ蓄積装置１３が新たに追加されるなどの変更が生じてもメタデータ定義表９で定義される項目の定義自体は変更することなく、コンテンツ作成補助ファイル１０の変更による対応が可能である。
【０１１５】
また、情報閲覧装置５がメタデータ定義蓄積装置２のメタデータ定義表９およびコンテンツ抽出補助ファイル１１を参照し、適した形のユーザの抽出条件入力フォームを生成し、項目と項目に入力された値とを用いて抽出を行うため、定型の項目を有する分散した公開情報に対して閲覧が可能となる。
【０１１６】
また、コンテンツ抽出補助ファイル１１では複数の抽出方法を記述することで、抽出方方法の追加などの変更を、メタデータ定義表９で定義される項目の定義自体は変更することなく、コンテンツ抽出補助ファイル１１の変更による対応が可能である。抽出条件として膨大な選択肢や頻繁な選択肢がある場合は、コンテンツ抽出補助ファイル１１に記述されるスクリプトにより、選択肢となるデータを蓄積しているデータ蓄積装置１３を利用可能とすることができる。利用データ蓄積装置１３が新たに追加されるなどの変更が生じてもメタデータ定義表９で定義される項目の定義自体は変更することなく、コンテンツ抽出補助ファイル１１の変更による対応が可能である。
【０１１７】
また、メタデータ付与装置３と情報公開装置４とが分離しているので、情報発信端末６のユーザは、メタデータ付与装置３によりメタデータ定義表９による情報を生成し、生成した情報を、情報公開装置４に公開情報１２として公開することが可能となる。つまり、例えば、ユーザは、メタデータ付与装置３によりメタデータ定義表９を利用したブログ記事を作成し、ユーザが通常使用しているブログサーバである情報公開装置４を用いて、作成したブログ記事を公開することが可能となる。
【０１１８】
以上、本発明の実施の形態について説明したが、上述のメタデータ定義蓄積装置２、メタデータ付与装置３、情報公開装置４、情報閲覧装置５、およびデータ蓄積装置１３は内部にコンピュータシステムを有している。
【０１１９】
そして、上述した処理に関する一連の処理の過程は、プログラムの形式でコンピュータ読み取り可能な記録媒体に記憶されており、このプログラムをコンピュータが読み出して実行することによって、上記処理が行われる。
【０１２０】
すなわち、メタデータ定義蓄積装置２、メタデータ付与装置３、情報公開装置４、情報閲覧装置５、およびデータ蓄積装置１３における、各処理は、ＣＰＵ等の中央演算処理装置がＲＯＭやＲＡＭ等の主記憶装置に上記プログラムを読み出して、情報の加工、演算処理を実行することにより、実現されるものである。
【０１２１】
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【０１２２】
以上、本発明の実施の形態について説明したが、本発明の情報公開システムは、上述の図示例にのみ限定されるものではなく、本発明の要旨を逸脱しない範囲内において種々変更を加え得ることは勿論である。
【図面の簡単な説明】
【０１２３】
【図１】本発明の情報公開システムの構成例を示す図である。
【図２】メタデータ定義表の一例を示す図である。
【図３】メタデータ付与装置の構成例を示す図である。
【図４】コンテンツ作成補助ファイルの一例示す図である。
【図５】情報公開装置の構成例を示す図である。
【図６】公開情報の一例示す図である。
【図７】情報閲覧装置の構成例を示す図である。
【図８】コンテンツ抽出補助ファイルの一例を示す図である。
【図９】情報公開動作の流れを示すフローチャートである。
【図１０】情報閲覧の流れを示すフローチャートである。
【符号の説明】
【０１２４】
１・・・情報公開システム、２・・・メタデータ定義蓄積装置、３・・・メタデータ付与装置、４・・・情報公開装置、５・・・情報閲覧装置、６・・・情報発信端末、７・・・情報閲覧端末、８・・・ネットワーク、９・・・メタデータ定義表、１０・・・コンテンツ作成補助ファイル、１１・・・コンテンツ抽出補助ファイル、１２・・・公開情報、１３・・・データ蓄積装置、２１・・・記憶部、３１・・・受付部、３１ａ・・・ユーザーインターフェース生成部、３１ｂ・・・入力受付部、３１ｃ・・・検索部、３２・・・メタデータ定義取得部、３３・・・メタデータ付与コンテンツ生成部、４１・・・入力受付部、４２・・・情報蓄積部、４３・・・公開情報生成部、４４・・・情報公開部、５１・・・公開情報取得部、５２・・・公開情報蓄積部、５３・・・メタデータ定義取得部、５４・・・受付部、５４ａ・・・ユーザーインターフェース生成部、５４ｂ・・・入力受付部、５４ｃ・・・コンテンツ抽出部、５４ｄ・・・検索部、１３１・・・受付部、１３２・・・データ記憶部
【図１】
2008134952.tif 000003
【図２】
2008134952.tif 000004
【図３】
2008134952.tif 000005
【図４】
2008134952.tif 000006
【図５】
2008134952.tif 000007
【図６】
2008134952.tif 000008
【図７】
2008134952.tif 000009
【図８】
2008134952.tif 000010
【図９】
2008134952.tif 000011
【図１０】
2008134952.tif 000012